(57)【要約】【課題】複数のトレンドデータを同時に表示する場合に、比較対象のトレンドデータの絞り込みや表示範囲の決定が適切にできるようにする。【解決手段】保存したトレンドデータから、２つのトレンドデータを抽出して、その２つのトレンドデータを比較するトレンドグラフを表示するための画面を生成する。このとき、２つのトレンドデータを抽出する際に、それぞれのトレンドデータの先頭時刻又は基準時刻を、それぞれのトレンドデータに付加されたイベントデータに基づいて設定し、その先頭時刻又は基準時刻の表示位置を一致させた表示形態のトレンドグラフを生成するようにした。【選択図】図４
2018206316.tif 000002
【特許請求の範囲】
【請求項１】
制御対象のプラントのアラーム情報、状態変化情報、及びプラント操作情報の少なくとも１つのイベントを時系列に保存するイベント履歴データベースと、
前記プラントを監視して取得したプラントデータを時系列化したトレンドデータを保存するトレンドデータベースと、
前記イベント履歴データベースから、前記トレンドデータベースに保存されるトレンドデータと関連あるイベントデータを抽出して、抽出したイベントデータをトレンドデータに付加するトレンドデータ生成部と、
前記トレンドデータベースに保存されるトレンドデータから、２つのトレンドデータを抽出し、その２つのトレンドデータを比較するトレンドグラフを表示するための画面生成部と、を備え、
前記画面生成部は、２つのトレンドデータを抽出する際に、それぞれのトレンドデータの先頭時刻又は基準時刻を、それぞれのトレンドデータに付加されたイベントデータに基づいて設定し、その先頭時刻又は基準時刻の表示位置を一致させた表示形態のトレンドグラフを生成する
プラント運転監視システム。
【請求項２】
イベント履歴データベースからイベントデータを抽出する際には、イベントが発生したプラントの設備がトレンドデータと同一設備のイベントデータとする
請求項１に記載のプラント運転監視システム。
【請求項３】
前記画面生成部は、２つのトレンドデータに共通するイベントデータに絞り込んだ上で、先頭時刻又は基準時刻を選択する
請求項１に記載のプラント運転監視システム。
【請求項４】
さらに、抽出した２つのトレンドデータの、前記イベントデータの発生時刻で区切られる区間の変化率を求め、求めた変化率の差が予め定めた条件を満たさない場合は、当該イベントデータを除外して、先頭時刻又は基準時刻を決めるイベントデータの絞り込みを行う
請求項３に記載のプラント運転監視システム。
【請求項５】
前記２つのトレンドデータのそれぞれの先頭時刻又は基準時刻をイベントデータに基づいて選択する際に、予め設定したイベント種別の優先順位に従って選択する
請求項１〜４のいずれか１項に記載のプラント運転監視システム。
【請求項６】
制御対象のプラントのアラーム情報、状態変化情報、及びプラント操作情報の少なくとも１つのイベントを時系列に保存するイベント履歴データベースの作成処理と、
前記プラントを監視して取得したプラントデータを時系列化したトレンドデータを保存するトレンドデータベースの作成処理と、
前記イベント履歴データベースから、前記トレンドデータベースに保存されるトレンドデータと関連あるイベントデータを抽出して、抽出したイベントデータをトレンドデータに付加するトレンドデータ生成処理と、
前記トレンドデータベースに保存されるトレンドデータから、２つのトレンドデータを抽出して、その２つのトレンドデータを比較するトレンドグラフを表示するための画面を生成すると共に、その画面生成時に２つのトレンドデータを抽出する際に、それぞれのトレンドデータの先頭時刻又は基準時刻を、それぞれのトレンドデータに付加されたイベントデータに基づいて設定し、その先頭時刻又は基準時刻の表示位置を一致させた表示形態のトレンドグラフを生成するトレンドグラフ表示処理と、を含む
プラント運転監視方法。
【発明の詳細な説明】
【技術分野】
【０００１】
本発明は、プラント運転監視システム及びプラント運転監視方法に関する。
【背景技術】
【０００２】
上下水場や食品、化学工場などのプラントの運転監視を行うプラント運転監視システムでは、プラントの計測値あるいは設定値などの監視情報を時系列に記録したトレンドデータを運転監視画面にトレンドグラフとして表示し、プラント状態の運転監視を行っている。特に、プラントに対して何らかの制御操作を行った場合には、現在のトレンドグラフと、過去に同様の操作を行って良好な制御結果が得られた際のトレンドグラフの２つを運転監視画面に合わせて表示し、比較を行うことがある。
【０００３】
現在と過去の２つのトレンドグラフを運転監視画面に合わせて表示する場合には、同じ運転監視画面内に、並列に配置した２つ表示領域のそれぞれに描画する場合と、２つのトレンドグラフを１つの表示領域に重ね合わせて描画する場合がある。いずれの場合もトレンドデータを表示領域に描画するためには、２つのトレンドグラフそれぞれの先頭時刻を指定する必要がある。
【０００４】
この２つの先頭時刻が、トレンドグラフの描画開始位置となるため、時刻が適切でない場合には２つのトレンドグラフがずれて表示されるため、これら２つのトレンドグラフの比較が困難となる。また、適切な時刻を指定するには、トレンドグラフを一度表示してから、目視で時刻を読み取り、手入力で時刻指定して画面を再表示し、細かい時刻の微調整を行うなど、操作員による煩雑な画面操作が必要であった。
【０００５】
２つのトレンドグラフを並べて表示する従来技術としては、例えば特許文献１に記載された技術がある。この特許文献１に記載された技術は、アラーム発生などのイベント履歴を記録したイベント履歴データベースから指定イベントを検索して、その指定イベントが発生した２つの時刻を選択し、その２つの時刻を元にトレンドデータを取得して描画するようにしたものである。
【先行技術文献】
【特許文献】
【０００６】
【特許文献１】特開２００３−２９８２６号公報
【発明の概要】
【発明が解決しようとする課題】
【０００７】
特許文献１に示すトレンドデータの取得方法は、アラーム発生などの特定イベントに関連したトレンドを取り出すものであるが、取り出した後に、表示する範囲や先頭時刻などの調整が必要である。
【０００８】
また、例えばアラーム発生であっても、様々な要因でアラームが発生する可能性があり、操作員は、そのアラーム発生原因を考慮した上で適切なイベントを指定して、比較対象のトレンドデータを検索する必要があった。さらに、比較対象のトレンドデータを検索した後、２つのトレンドグラフが比較できるようにするためには、表示する範囲や先頭時刻などの調整が必要である。
このように、従来から提案されている技術では、比較対象のトレンドデータの候補をある程度絞ることができても、依然として操作員による表示範囲や先頭時刻の調整が必要であり、操作員の負担が大きいという問題があった。
【０００９】
本発明は、複数のトレンドデータを同時に表示する場合に、比較対象のトレンドデータの絞り込みや表示範囲の決定を適切に行うことができるプラント運転監視システム及びプラント運転監視方法を提供することを目的とする。
【課題を解決するための手段】
【００１０】
上記課題を解決するために、例えば特許請求の範囲に記載の構成を採用する。
本願は上記課題を解決する手段を複数含んでいるが、その一例を挙げるならは、制御対象のプラントのアラーム情報、状態変化情報、及びプラント操作情報の少なくとも１つのイベントを時系列に保存するイベント履歴データベースと、プラントを監視して取得したプラントデータを時系列化したトレンドデータを保存するトレンドデータベースと、イベント履歴データベースから、トレンドデータベースに保存したトレンドデータと関連あるイベントデータを抽出して、抽出したイベントデータをトレンドデータに付加するトレンドデータ生成部と、トレンドデータベースに保存されるトレンドデータから、２つのトレンドデータを抽出して、その２つのトレンドデータを比較するトレンドグラフを表示するための画面生成部とを備える。
そして、画面生成部は、２つのトレンドデータを抽出する際に、それぞれのトレンドデータの先頭時刻又は基準時刻を、それぞれのトレンドデータに付加されたイベントデータに基づいて設定し、その先頭時刻又は基準時刻の表示位置を一致させた表示形態のトレンドグラフを生成することを特徴とする。
【発明の効果】
【００１１】
本発明によれば、操作員が比較対象トレンドデータを選択するだけで、比較対象トレンドデータの適当な先頭時刻を決定し運転監視画面に表示できるため、操作員の操作の手間を大幅に軽減することができる。
上記した以外の課題、構成及び効果は、以下の実施形態の説明により明らかにされる。
【図面の簡単な説明】
【００１２】
【図１】本発明の一実施の形態例によるプラント運転監視システムの構成図である。
【図２】本発明の一実施の形態例によるプラント運転監視システムに適用されるコンピュータ装置のハードウェアを示す構成図である。
【図３】本発明の一実施の形態例によるトレンドデータ（図３Ａ）、イベントデータ（図３Ｂ）、及びプラント構成情報（図３Ｃ）の例を示す図である。
【図４】本発明の一実施の形態例によるトレンドグラフの画面例を示す図である。
【図５】本発明の一実施の形態例による比較対象トレンドデータ選択画面の画面例を示す図である。
【図６】本発明の一実施の形態例による比較画面生成時の時間軸合わせ処理を示すフローチャートである。
【図７】本発明の一実施の形態例による比較時のトレンドグラフの画面例を示す図であり、図７Ａは重ね合わせ表示、図７Ｂは二段表示の場合を示す。
【図８】本発明の一実施の形態例による２つのトレンドデータの変化率の例を示す図である。
【発明を実施するための形態】
【００１３】
以下、本発明の一実施の形態例（以下、「本例」と称する）を、添付図面を参照して説明する。
［１．システム全体の構成］
図１は、本例のプラント運転監視システムの全体構成を示す図である。
図１において、プラント１は、例えば上下水場、食品工場、化学工場、発電所などの産業用の設備である。
このプラント１から、プラント入力部１１により運転状況などのデータが取得される。ここで、プラント入力部１１で取得されるデータは、例えばプラント１に設置されたセンサで測定される温度、流量などの計測値である。以下の説明では、プラント入力部１１で取得されるデータを「プラントデータ」と称する。このプラントデータは、プラントデータベース１２に記憶される。プラントデータベース１２には、最新のプラントデータが記憶される。
【００１４】
また、プラント入力部１１は、プラント１に発生した事象（イベント）の情報であるイベントデータをプラント１から取得する。ここで取得されるデータのイベントは、プラント１のアラーム情報、状態変化情報である。
プラント入力部１１で取得されるイベントデータは、イベント履歴データベース１３に記憶される。このとき、プラント１で発生したアラーム情報及びプラント１の状態変化情報に、それぞれの情報で示されるイベントが発生した時刻が付加されて、時系列の配列とされたイベント履歴が、新たなデータベースとしてイベント履歴データベース１３に保存される。このようにしてイベント履歴についてのデータベースの作成処理が行われる。
【００１５】
また、イベント履歴データベース１３に保存されるイベント履歴データには、運転監視画面などを表示する表示部１９から入力されるプラント操作情報も含まれる。なお表示部１９については後述する。このプラント操作情報も、その操作が行われた時刻が付加されて、イベント履歴データベース１３に時系列に保存される。
プラント１が稼動している間、プラントデータベース１２及びイベント履歴データベース１３には最新のデータが供給され、プラントデータベース１２及びイベント履歴データベース１３には、最新のデータが蓄積される。
【００１６】
トレンドデータ生成部１４は、プラントデータベース１２とイベント履歴データベース１３に記憶されたプラントデータ及びイベント履歴データとに基づいて、トレンドデータを生成するトレンドデータ生成処理を行う。トレンドデータは、プラントデータと紐付けられたタグ番号を持ち、タグ番号を元にプラントデータから抽出した収集対象のデータに収集時刻を付加すると共に、収集対象のデータと同一設備で発生したイベントのイベント一貫番号をイベント履歴データベースから取得して付加したものである。
上記、同一設備の判別方法について説明する。トレンドデータ生成部１４は、プラント構成情報格納部１５からプラント１の構成情報を取得する。そして、トレンドデータ生成部１４は、生成するトレンドデータに、このトレンドデータがプラント１のいずれの構成要素（設備）のデータであるかを示す設備番号を付加する。トレンドデータのタグ番号を、プラント構成情報の所属タグ番号から索引することにより、このトレンドデータがどの設備に関連するデータであるか判別することができる。設備番号が同じであれば、同一設備のトレンドデータである。
【００１７】
トレンドデータ生成部１４が生成したトレンドデータは、トレンドデータベース１６に蓄積される。ここで、操作員は、トレンドデータベース１６に蓄積されたトレンドデータの内で、表示部１９に表示される運転監視画面を用いて、任意のトレンドデータを取り出し、トレンドデータ保存部１７に保存することができる。トレンドデータ保存部１７は、読み出したトレンドデータを、例えばハードディスクドライブ装置（ＨＤＤ装置）などの内部記憶装置や、各種データ記録ディスク（ＤＶＤなど）の外部記憶媒体に格納する。
【００１８】
そして、画面生成部１８は、トレンドデータベース１６に蓄積されるトレンドデータ又はトレンドデータ保存部１７によって読み出されるトレンドデータを使って、プラント１の状態を時系列で示されるトレンドグラフを作成する。表示部１９は、画面生成部１８が作成したトレンドグラフを表示する。このトレンドグラフは、例えば運転監視画面の一部に表示される。
【００１９】
表示部１９には、プラント１を監視する操作者からの操作入力を受け付ける操作部（不図示）が接続されており、この操作部により、運転監視画面上の操作やプラント操作を行うことができる。表示部１９に入力される運転監視画面上の操作に関する情報は、画面生成部１８に供給され、画面生成部１８が生成する運転監視画面の表示内容に操作が反映される。
また、表示部１９に入力されるプラント操作に関する情報は、プラント出力部２０に供給される。プラント出力部２０は、プラント１にプラント操作の情報を供給し、その情報で示される操作を実行する。なお、このプラント操作に関する情報は、イベント履歴データベース１３にも供給され、イベント履歴データベース１３に保存される。
【００２０】
なお、画面生成部１８がトレンドグラフを作成する際には、２つのトレンドグラフを並べて表示する場合がある。この２つのトレンドグラフを並べて表示する場合の処理の詳細については、図４のフローチャートで後述する。
【００２１】
［２．ハードウェア構成例］
図２は、図１に示すプラント運転監視システムを実現するコンピュータ装置９００のハードウェア構成例を示す。
コンピュータ装置９００は、バスライン９１０にそれぞれ接続されたＣＰＵ（Central Processing Unit：中央処理装置）９０１、ＲＯＭ（Read Only Memory）９０２、及びＲＡＭ（Random Access Memory）９０３を備える。さらに、コンピュータ装置９００は、不揮発性ストレージ９０４、ネットワークインタフェース９０５、入力装置９０６、及び表示装置９０７を備える。
【００２２】
ＣＰＵ９０１は、プラント運転監視システムが備える各機能を実現するソフトウェアのプログラムコードをＲＯＭ９０２から読み出して実行する。ＲＡＭ９０３には、演算処理の途中に発生した変数やパラメータ等が一時的に書き込まれる。例えば、ＣＰＵ９０１がＲＯＭ９０２に記憶されているプログラムを読み出すことで、トレンドグラフを含む運転監視画面を生成する処理や、プラントデータを収集して保存する処理が行われる。
【００２３】
不揮発性ストレージ９０４としては、例えば、ＨＤＤ（Hard disk drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージ９０４には、ＯＳ（Operating System）、各種のパラメータの他に、コンピュータ装置９００をプラント運転監視システムとして機能させるためのプログラムが記録されている。また、トレンドデータベース１６などの各種データベースが、この不揮発性ストレージ９０４に構築される。
【００２４】
ネットワークインタフェース９０５には、例えば、ＮＩＣ（Network Interface Card）等が用いられ、端子が接続されたＬＡＮ（Local Area Network）、専用線等を介して各種のデータを送受信することが可能である。例えば、プラント入力部１１としてのデータの受信や、プラント出力部２０としてのデータの送信が、ネットワークインタフェース９０５を経由して行われる。
入力装置９０６は、キーボードやマウスなどで構成され、操作者の操作を受け付ける。表示装置９０７は、運転監視画面を表示する表示部１９として機能する。
【００２５】
［３．データ構成の例］
図３は、トレンドデータベース１６に記憶されるトレンドデータ（図３Ａ）と、イベント履歴データベース１３に記憶されるイベントデータ（図３Ｂ）と、プラント構成情報格納部１５に格納されるプラント構成情報（図３Ｃ）の例を示す。
【００２６】
トレンドデータは、図３Ａに示すように、タグ番号、アイテム、単位、及び設備番号を含む。それぞれのトレンドデータは、時刻と表示値とイベント一貫番号とが、時刻順に配置されたデータである。
イベントデータは、図３Ｂに示すように、イベント一貫番号、時刻、タグ番号、設備番号、イベント種別、及びメッセージを含む。なお、メッセージは、例えばイベントデータで示されるイベントについて補足するデータである。例えば、イベント種別がアラームであるとき、そのアラームの発生原因などを示すデータがメッセージで示される。
プラント構成情報は、図３Ｃに示すように、設備番号、設備名称、所属タグ番号１〜Ｎ（Ｎは任意の整数）を持つ。
【００２７】
［４．トレンドグラフの表示例（単独表示の例）］
図４は、表示部１９に表示されるトレンドグラフの例を示す。ここでは１つのトレンドグラフを表示する例を示すが、後述する複数のトレンドグラフを表示する例では、この図４に示すトレンドグラフで示されるトレンドデータが、他のトレンドデータと比較される元のトレンドデータ（以下、「比較元トレンドデータ」という）になる。
【００２８】
図４に示すように、トレンドグラフ描画領域２１には、トレンドデータベース１６又はトレンドデータ保存部１７から画面生成部１８が読み出したトレンドデータがトレンドグラフとして描画され、表示される。表示中のトレンドグラフが、トレンドデータベース１６から読み出したトレンドデータによるトレンドグラフである場合には、画面中の保存ボタン２２の選択操作で、表示中のトレンドデータが、トレンドデータ保存部１７に保存される。
そして、画面中の比較ボタン２３の選択操作があると、画面生成部１８は、比較すべきトレンドデータ（以下、「比較トレンドデータ」という）の選択画面を新たに生成し、その比較トレンドデータ選択画面を表示部１９に表示する。
【００２９】
［５．比較トレンドデータ選択画面の表示例］
図５は、比較トレンドデータ選択画面の表示例を示す。
比較トレンドデータ選択画面は、保存トレンドデータ一覧表示領域３１に運転監視システム内のトレンドデータ保存部１７に保存されたトレントデータの一覧表が表示される。操作者は、一覧表から、保存トレンドデータ一覧表示領域３１内の一覧表からいずれか１つの比較トレンドデータを選択し、実行ボタン３３を選択する。これにより、比較元トレンドデータと比較トレンドデータを比較するためのトレンドグラフ比較画面表示に移る。
【００３０】
なお、トレンドグラフ比較画面表示としては、２つのトレンドグラフを重ね合わせて表示する場合と、２つのトレンドグラフを二段に表示する場合とがあり、表示形式のラジオボタン３２の選択で、いずれか一方の表示形式が指示される。
【００３１】
［６．比較画面生成時の時間軸合わせ処理］
トレンドグラフ比較画面表示を行う際には、画面生成部１８が、表示される２つのトレンドグラフの時間軸を合わせる処理を行う。
図６のフローチャートは、このトレンドグラフの時間軸を合わせる処理の例を示す。ここでは、比較元トレンドデータと比較トレンドデータを、それぞれトレンドデータＡ、トレンドデータＢとして説明する。
【００３２】
まず、画面生成部１８は、トレンドデータＡの表示区間のイベントデータを取り出す（ステップＳ１０）。ここでの表示区間とは、例えば図４に示すトレンドグラフ描画領域２１に表示される区間であり、その表示区間内に付加される全てのイベントデータが取り出される。次に、画面生成部１８は、図５に示す比較トレンドデータ選択画面で選択されたトレンドデータＢの全区間のイベントデータを取り出す（ステップＳ１１）。
その後、画面生成部１８は、ステップＳ１０で取り出したトレンドデータＡのイベントデータと、ステップＳ１１で取り出したトレンドデータＢのイベントデータとを比較して、両データに共通のイベントデータを抽出する（ステップＳ１２）。ここで、共通するイベントデータは、例えばイベントデータを構成するイベント種別とメッセージが一致するイベントデータである。
【００３３】
次に、画面生成部１８は、トレンドデータＡとトレンドデータＢとで、それぞれ抽出したイベント発生時刻間のトレンドデータの変化率を求める。そして、画面生成部１８は、トレンドデータＡとトレンドデータＢとの変化率の差を求め、この変化率の差が予め定めた条件を満たさない場合は、当該イベントを除外することでイベントデータの絞り込みを行う（ステップＳ１３）。
【００３４】
さらに、ステップＳ１３で絞り込みが行われたイベントデータから、予め定めたイベント種別の優先順位に従い、イベント種別の優先順位が最も高く、最も古い時刻のイベントデータをトレンドグラフの時間軸を合わせる時刻として選出する（ステップＳ１４）。イベント種別の優先順位としては、例えばアラーム発生を最も高いイベント種別とし、特定の操作の発生や、アラーム以外の事象の検出などは、アラーム発生よりも低い優先順位のイベント種別とされる。
【００３５】
そして、画面生成部１８は、図５に示す比較トレンドデータ選択画面のラジオボタン３２で選択された表示形式が、重ね合わせ表示か、あるいは二段表示かを判断する（ステップＳ１５）。ここで、選択された表示形式が、重ね合わせ表示である場合には、画面生成部１８は、重ね合わせ表示形態のトレンドグラフ比較画面を生成し、その重ね合わせ表示形態のトレンドグラフ比較画面を表示部１９に表示する（ステップＳ１６）。
また、ステップＳ１５での判断で、選択された表示形式が、二段表示である場合には、画面生成部１８は、二段表示形態のトレンドグラフ比較画面を生成し、その二段表示形態のトレンドグラフ比較画面を表示部１９に表示する（ステップＳ１７）。
【００３６】
［７．トレンドグラフ比較画面の例］
図７は、トレンドグラフ比較画面の表示例を示す。図７Ａは、重ね合わせ表示形態のトレンドグラフ比較画面を示し、図７Ｂは、二段表示形態のトレンドグラフ比較画面を示す。
図７Ａに示す重ね合わせ表示形態のトレンドグラフ比較画面の場合には、重ね合わせトレンドグラフ描画領域４１に２つのトレンドグラフ（トレンドデータＡ，Ｂ）が重ね合わせて表示される。
【００３７】
この２つのトレンドグラフの表示区間の先頭時刻は、優先順位が最も高い種類のイベントが発生した時刻である。しかも、２つのデータの変化率の差が少ない区間を選ぶようにされており、図７Ａに示すように、類似した傾向の２つのトレンドグラフが重ね合わされて表示される。なお、重ね合わせ表示形態のトレンドグラフ比較画面内には、二段表示ボタン４２が表示され、この二段表示ボタン４２の選択操作で、二段表示形態のトレンドグラフ比較画面に変化する。
【００３８】
図７Ｂに示す二段表示形態のトレンドグラフ比較画面の場合には、上段のトレンドグラフ描画領域４１ａと下段のトレンドグラフ描画領域４１ｂとが上下に二段に配置される。そして、上段のトレンドグラフ描画領域４１ａに、トレンドデータＡのトレンドグラフを表示し、下段のトレンドグラフ描画領域４１ｂに、トレンドデータＢのトレンドグラフを表示する。
この２つのトレンドグラフの表示区間の先頭時刻の設定については、図７Ａに示す重ね合わせ表示形態と同じである。なお、二段表示形態のトレンドグラフ比較画面内には、重ね合わせ表示ボタン４３が表示され、重ね合わせ表示ボタン４３の選択操作で、重ね合わせ表示形態のトレンドグラフ比較画面に変化する。
【００３９】
［８．変化率から先頭時刻を設定する例］
図８は、トレンドデータＡ（比較元トレンドデータ）と、トレンドデータＢ（比較トレンドデータ）との変化率から、それぞれのデータをトレンドグラフ比較画面で表示する際の先頭時刻を設定する例を示す。
例えば、トレンドデータＡから抽出された最も古い時刻のイベントデータＡ１と、次に古い時刻のイベントデータＡ２の時刻との間の区間のトレンドデータ表示値の変化率ｄ１（２０％）を求める。そして、トレンドデータＢから抽出された最も古い時刻のイベントデータＢ１と、次に古い時刻のイベントデータＢ２の時刻との間のトレンドデータ表示値の変化率ｄ２（２１％）を求める。ここでは、イベントデータＡ１とイベントデータＢ１が同じ種別のイベントデータであり、イベントデータＡ２とイベントデータＢ２とが同じ種別のイベントデータである。
【００４０】
そして、画面生成部１８は、変化率ｄ１と変化率ｄ２との差を求める。例えば、変化率の差があるとする閾値条件を３％とする。ここでは変化率ｄ１が２０％であり、変化率ｄ２が２１％であるから、変化率ｄ１と変化率ｄ２との差は、１％（３％以内）であり、条件を満たすことになる。
【００４１】
このようにして、トレンドデータＡの各イベントデータＡ１，Ａ２，Ａ３，Ａ４の間の変化率を順に求める。また、トレンドデータＢの各イベントデータＢ１，Ｂ２，Ｂ３，Ｂ４の間の変化率についても順に求める。図８の例では、例えばイベントデータＡ３とイベントデータＡ４の間の変化率ｄ３が−１％であり、イベントデータＢ３とイベントデータＢ４の間の変化率ｄ４が−１０％になっている。すなわち、両変化率ｄ３，ｄ４の差は９％となり、閾値条件３％を超えている。したがって、画面生成部１８は、イベントデータＡ３とイベントデータＢ３とを、抽出した候補のイベントデータから削除し、イベントデータＡ３とイベントデータＢ３の発生時刻を先頭時刻に選ぶことがない。この処理を行うことによって、同じ傾向を持つトレンドデータについて、その変化を起こした原因となるイベントデータを絞り込むことができる。
【００４２】
以上説明した本例のプラント運転監視システムによると、運転監視画面で２つのトレンドグラフを同時に表示する場合に、比較対象のトレンドデータを選択するだけで、自動的に適当なトレンドデータの先頭時刻を決定し表示が行えるようになる。したがって、操作員の操作で先頭時刻を調整する必要がなく、操作員の負担を大幅に軽減することが可能になる。
また、比較元トレンドデータと比較トレンドデータから抽出した共通イベントのイベント間の変化率をチェックして、イベントの絞り込みを行うことで、イベントデータの絞り込みを適切に行うことができるようになる。すなわち、類似の傾向を持つトレンドデータを取り出すのに有効なイベントデータだけが候補として残り、２つのトレンドグラフを同時に表示する場合に、傾向が異なるイベントデータが選ばれることがなくなる。
【００４３】
［８．変形例］
なお、上述した実施の形態例では、２つのトレンドグラフを同時に表示する場合のそれぞれのトレンドグラフの先頭時刻を、イベントデータで合わせるようにした。これに対して、例えば表示されるトレンドグラフの中間位置などの、先頭位置以外の基準となる位置を、イベントデータで合わせるようにしてもよい。このようにすることで、イベントが発生する前からの変化を表示することができる。
【００４４】
また、上述した実施の形態例では、データのイベントとしては、プラントのアラーム情報、状態変化情報、及びプラント操作情報の３つの情報とした。これに対して、少なくともいずれか１つの種類のイベント情報を記憶して、そのイベント情報からトレンドグラフを表示する際の先頭時刻や基準時刻を設定してもよい。
【００４５】
また、本発明は上記した実施の形態例に限定されるものではなく、様々な変形例が含まれる。例えば、上記した実施の形態例は本発明を分かりやすく説明するために詳細に説明したものであり、必ずしも説明した全ての構成を備えるものに限定されるものではない。また、実施の形態例の構成の一部について、他の構成の追加・削除・置換をすることが可能である。
【００４６】
また、上記の各構成、機能、処理部、処理手段等は、それらの一部又は全部を、例えば集積回路で設計する等によりハードウェアで実現してもよい。また、上記の各構成、機能などは、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４７】
１…プラント、１０…プラント運転監視装置、１１…プラント入力部、１２…プラントデータベース、１３…イベント履歴データベース、１４…トレンドデータ生成部、１５…プラント構成情報格納部、１６…トレンドデータベース、１７…トレンドデータ読み出し部、１８…画面生成部、１９…表示部、２１…トレンドグラフ描画領域、２２…保存ボタン、２３…比較ボタン、３１…保存トレンドデータ一覧表示領域、３２…ラジオボタン、３３…実行ボタン、４１…重ね合わせトレンドグラフ描画領域、４１ａ…上段のトレンドグラフ描画領域、４１ｂ…下段のトレンドグラフ描画領域、４２…二段表示ボタン、４３…重ね合わせ表示ボタン、９００…コンピュータ装置、９０１…中央処理装置（ＣＰＵ）、９０２…ＲＯＭ、９０３…ＲＡＭ、９０４…不揮発性ストレージ、９０５…ネットワークインタフェース、９０６…入力装置、９０７…表示装置、９１０…バス
【図１】
2018206316.tif 000003
【図２】
2018206316.tif 000004
【図３】
2018206316.tif 000005
【図４】
2018206316.tif 000006
【図５】
2018206316.tif 000007
【図６】
2018206316.tif 000008
【図７】
2018206316.tif 000009
【図８】
2018206316.tif 000010